(57)【要約】【課題】記録手段の主走査方向の寸法を小さくする。【解決手段】キャリッジＢ１０４のニードルＢ１２２は、その先端がメディアパックＣ１００が装着される方向と略同一方向に延びている。プリンタ部Ｂ１００に装着されたメディアパックＣ１００のジョイント部Ｃ１０５は、吸引ポジションに移動したキャリッジＢ１０４側のニードルＢ１２２に対向する方向に位置する。待機時には、ニードルキャップＢ３０２はニードルＢ１２２内の横穴部Ｂ１２２ａを封止する。接合時には、スライダ部Ｂ３０１のＥ１方向への摺動によりジョイントホルダＢ３０３がＧ方向に回転し、フック部Ｂ３０３ｂが連結部Ｃ１１０の凸部Ｃ１１０ａに係合する。スライダ部Ｂ３０１のＥ１方向への移動が、連結部Ｃ１１０に伝達され、ジョイント部Ｃ１０５がキャリッジＢ１０４内のニードルＢ１２２と連結される。【選択図】  図１６
2004299360.tif 000002
【特許請求の範囲】
【請求項１】
記録媒体およびインクを収納するとともにインクの導出部を備えた消耗材収納容器を装着可能であり、前記導出部内に所定のタイミングで挿入されることで前記消耗材収納容器からのインクを内部に導入する少なくとも１つのニードル、およびインクを前記記録媒体に吐出することで記録を行う記録ヘッドを有する、前記記録媒体の搬送方向に対して交差する方向である主走査方向に走査可能なキャリッジを備えた記録手段を有する電子機器であって、
前記ニードルが、前記主走査方向と交差する方向となる前記消耗材収納容器の前記記録手段への装着方向と略同一方向に延びて配置されていることを特徴とする電子機器。
【発明の詳細な説明】
【０００１】
【発明の属する技術分野】
本発明は、インクジェット記録ヘッドを用いてプリントを行うプリンタ、およびそのプリンタを備えたデジタルカメラに関するものである。
【０００２】
【従来の技術】
近年、デジタルカメラの普及に伴い、ＰＣ（パーソナルコンピュータ）の介在なしに、撮影画像をプリントしたいという要求が高まってきている。カメラとプリンタを一体的に構成した機器としては、従来より、ポラロイド式のカメラが知られている。ディジタル方式のカメラにおいて、このようなポラロイド式のカメラと同様の機能を実現するためには、画像を撮影するデジタルカメラと、撮影した画像をプリントするプリンタとを一体して、プリンタ一体型カメラを構成することが考えられる。このようなプリンタ一体型カメラは、撮影した画像を他の機器を用いることなく、好きなときにプリントできることになる。
【０００３】
インクジェット記録装置においても、プリンタ一体型カメラに内蔵できるプリンタとして、記録装置本体に対し着脱可能なメディアパックが提案されている（例えば、特許文献１参照。なお、この公報においてはメディアパックは、メディアカートリッジと称されている）。
【０００４】
メディアカートリッジは、例えば、その収容される記録媒体がすべて消費された場合、新たなメディアカートリッジに交換される。メディアカートリッジは、例えば、複数枚の記録媒体を積載収容する記録媒体収容部としてのカセット部と、その記録媒体の記録に対し適切なインクを貯留するインクタンク部と、その記録ヘッドの回復処理のために使用された使用済みインクを回収貯留する廃液タンク部とを含んで構成されている。
【０００５】
そのインクタンク部のインクは、メディアカートリッジに収容されているすべての記録媒体の記録に少なくとも必要な量が貯留されており、記録装置本体に装備される記録部に、その記録動作または回復処理動作に応じて供給される。
【０００６】
また、カセット部内の記録媒体は、装置本体側の送出ローラにより、順次取り出され記録装置本体の記録部における記録ヘッドに対し搬送される。廃液タンクには、装置本体に設けられる回復処理ユニットから排出される廃インクが供給される。
【０００７】
また、そのようなメディアカートリッジおよび記録装置全体が他の機器に組み込み可能とされる場合、その用途が多様化されるので商品価値が高められることとなる。そのような場合、他の機器の大型化を回避するためにメディアカートリッジおよび記録装置の小型化が図られることが必要となる。
【０００８】
ここで、図２０に、記録ヘッドを搭載した従来のキャリッジの一例の斜視図を示す。
【０００９】
従来例のキャリッジＢ１１５は、ガイド軸Ｂ１０５とリードスクリューＢ１０６（図７）に沿って矢印Ａの主走査方向に往復移動される構成となっている。
【００１０】
キャリッジＢ１１５には、図７に示すガイド軸Ｂ１０５用、およびリードスクリューＢ１０６用の軸受けＢ１０７、Ｂ１０８が設けられている。
【００１１】
また、キャリッジＢ１１５には、Ｙ（イエロー）、Ｍ（マゼンタ）、Ｃ（シアン）のインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００１２】
サブタンクは、メディアパックＣ１００に収容されているインクパックＣ１０３よりも小容量であり、少なくともプリント媒体Ｃ１０４の１枚分の画像記録に必要な量のインクを収容する大きさとなっている。サブタンクにおいて、Ｙ、Ｍ、Ｃのインク毎のインク収容部分には、それぞれインク供給部と負圧導入部が形成されており、それらのインク供給部は対応する３つの中空のニードルＢ１２２に個別に接続され、また、それらの負圧導入部は共通の供給エアー口Ｂ１２３に接続されている。このようなサブタンクには、後述するように、キャリッジＢ１１５が図６のようなホームポジションに移動したときに、メディアパックＣ１００のインクパックＣ１０３からインクが補給される。
【００１３】
キャリッジＢ１１５の移動位置は、キャリッジＢ１０４側のエンコーダセンサＢ１３１と、プリンタ部Ｂ１００の本体側のリニアスケールＢ１３２（図６参照）とによって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサ（不図示）とによって検出される。
【００１４】
【特許文献１】
特開平１１−２５４７００号公報
【００１５】
【発明が解決しようとする課題】
しかしながら、上述のようなメディアカートリッジにおいては、ジョイント部が記録装置の記録部の記録動作領域内に配置されているために、全面記録の際のはみ出しインクがジョイント部にかかってしまう、あるいは、ジョイント部に対向するニードル部を記録ヘッドの領域外に構成するために記録ヘッドが大きくなってしまうといったことが問題となる場合があった。
【００１６】
また、図２０に示したような構成のキャリッジＢ１１５では、記録ヘッドＢ１２０以外にニードルＢ１２２を構成する領域を主走査方向（Ａ方向）に設けるので、キャリッジＢ１１５の寸法が主走査方向に延びてしまい、その結果、プリンタが主走査方向に大きくなってしまうという不具合があった。
【００１７】
また、ジョイント部をラテンＢ１０３（図６）より下側に配置する必要があるため、接合するまでのストロークが必要となる。
【００１８】
さらに、待機状態でニードル部を封止していないために記録ヘッド部内のインクが蒸発したり、ジョイント部とインク袋部の連結を可とう性部材（いわゆるチューブ）で連結しているため、ガスバリアにおいて性能が低く、インクが蒸発しまい、そのためインクの充填量を所定必要量よりも増加しなければならず、インクカートリッジの大型化につながっていた。
【００１９】
そこで本発明は、小型化された、メディアパック、およびメディアパックを着脱可能に保持する記録装置を備えた電子機器を提供することを目的とする。
【００２０】
【課題を解決するための手段】
上記目的を達成するため本発明の電子機器は、記録媒体およびインクを収納するとともにインクの導出部を備えた消耗材収納容器を装着可能であり、前記導出部内に所定のタイミングで挿入されることで前記消耗材収納容器からのインクを内部に導入する少なくとも１つのニードル、およびインクを前記記録媒体に吐出することで記録を行う記録ヘッドを有する、前記記録媒体の搬送方向に対して交差する方向である主走査方向に走査可能なキャリッジを備えた記録手段を有する電子機器であって、
前記ニードルが、前記主走査方向と交差する方向となる前記消耗材収納容器の前記記録手段への装着方向と略同一方向に延びて配置されていることを特徴とする。
【００２１】
上記のとおりの本発明の電子機器は、キャリッジのニードルを主走査方向ではなく、消耗材収納容器の装着方向と略同一方向に配置したので、キャリッジの主走査方向にニードルを配した構成に比べて、キャリッジの主走査方向の寸法を短くすることができる。
【００２２】
【発明の実施の形態】
以下、本発明の実施形態を図面に基づいて説明する。
【００２３】
本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行う場合を言うものとする。
【００２４】
また、「プリント媒体」とは、一般的なプリント装置で用いられる紙のみならず、広く、布、プラスチック・フィルム、金属板等、ガラス、セラミックス、木材、皮革等、インクを受容可能な物も言うものとする。
【００２５】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。
【００２６】
「基本構成」
まず、図１から図１４に基づいて、本発明に係る装置の基本構成について説明する。本例の装置は、プリンタ内蔵カメラとして構成されており、その装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００２７】
以下においては、本例の装置の機械的な基本構成をＡ「カメラ部」、Ｂ「メディアパック」、Ｃ「プリンタ部」とに分けて説明し、また、信号処理系の基本構成はＤ「信号処理系」として説明する。
【００２８】
Ａ「カメラ部」
カメラ部Ａ１００は、基本的には、一般的なデジタルカメラを構成するものであり、後述するプリンタ部Ｂ１００とともに装置本体Ａ００１に一体的に組み合わせられることによって、図１から図３のような外観のプリンタ内蔵のデジタルカメラを構成する。
【００２９】
図１の正面図、図２の正面側からみた斜視図、図３の背面側からみた斜視図のそれぞれに示されているように、カメラ部Ａ１００は、その正面には、レンズＡ１０１、ファインダー窓Ａ１０２ａおよびストロボＡ１０３が配置され、上面にはレリーズボタンＡ１０４が配置され、背面にはファインダーＡ１０２および液晶表示部Ａ１０５（外部表示部）が配置されている。
【００３０】
また、カメラ部Ａ１００は、後述するように、ＣＣＤを用いて撮像したデータの処理、コンパクトフラッシュ（登録商標）メモリカード（ＣＦカード）Ａ１０７への画像の記憶、画像の表示、プリンタ部Ｂ１００との間の各種データの授受等をする。
【００３１】
本構成においては、撮影された画像が記録された、後述するプリント媒体Ｃ１０４は、図２に示すように、装置本体Ａ００１の側部に設けられた排出部Ａ１０９より排出される。
【００３２】
また、図５に示すように、本構成においては、カメラ部Ａ１００およびプリンタ部Ｂ１００の電源として電池Ａ１０８を搭載している。
【００３３】
Ｂ「メディアパック」
メディアパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。
【００３４】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー）、Ｍ（マゼンタ）、Ｃ（シアン）のインクを積層する構成で備えられており、またプリント媒体Ｃ１０４は２０枚程度重ねて収容されている。Ｙ、Ｍ、Ｃの各インクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。また、メディアパックＣ１００には後述するＥＥＰＲＯＭ（識別ＩＣ）が備えられており、そのＥＥＰＲＯＭには、メディアパックＣ１００が収容しているインクとプリント媒体の種類や残量などの識別データが記憶される。
【００３５】
インクパックＣ１０３は、メディアパックＣ１００が装置本体Ａ００１に装着されたときに、Ｙ、Ｍ、Ｃのインクのそれぞれに対応する３つのジョイントＣ１０５を通じて、後述する装置本体Ａ００１側のインク供給系に接続される。一方、プリント媒体Ｃ１０４は、後述する給紙ローラＢ１１１（図９参照）によって取り出され分離土手部Ｃ１１８によって一枚ずつ分離されて矢印Ｃ方向に送り出される（いわゆる土手分離方式）。
【００３６】
また、パック本体Ｃ１０１には、後述するプリンタ部の記録ヘッドをワイピングするためのワイパーＢ３１６から拭いた廃インクおよび、廃液ジョイントＢ３１３から排出された廃インクを吸収するためのインク吸収体Ｃ１０７がメディアパックＣ１００の装着方向前方の先端領域に配置されている。プリンタ部における記録ヘッドは、後述するように矢印Ａの主走査方向に往復移動する。
【００３７】
Ｃ「プリンタ部」
本例のプリンタ部Ｂ１００は、インクジェット記録ヘッドを用いるシリアルタイプのものである。このプリンタ部Ｂ１００については、Ｃ−１「プリント動作部」、Ｃ−２「プリント媒体搬送系」、およびＣ−３「インク供給系」に分けて説明する。
【００３８】
Ｃ−１「プリント動作部」
図６は、プリンタ部Ｂ１００全体の斜視図であり、図７は、プリンタ部Ｂ１００の一部を取り外した斜視図である。
【００３９】
プリンタ部Ｂ１００の本体内部の定位置には、図５のように、装置本体Ａ００１に装着されたメディアパックＣ１００の先端部分が位置する。メディアパックＣ１００から図６において矢印Ｃ方向に送り出されたプリント媒体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。
【００４０】
２本のガイド軸Ｂ１０５とリードスクリューＢ１０６に沿って矢印Ａの主走査方向に往復移動されるキャリッジＢ１０４には、図８のように、ガイド軸Ｂ１０５用の軸受Ｂ１０７、Ｂ１０８が設けられている。キャリッジＢ１０４の定位置には、図９のように、スクリューガイドＢ１０９がリードスクリューＢ１０６と係合し、スクリューガイドＢ１０９は、キャリッジＢ１０４と弾性を有した係合状態（不図示）で連結されている。そして、リードスクリューＢ１０６の外周部に形成された螺旋溝に対して、スクリューガイドＢ１０９が係合することによって、リードスクリューＢ１０６の回転がキャリッジＢ１０４の往復移動に変換される。
【００４１】
また、キャリッジＢ１０４には、Ｙ、Ｍ、Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向に一定間隔で複数のインク吐出口Ｂ１２１（図８（ａ）参照）が横並びで形成されている。インク吐出口Ｂ１２１は、サブタンクＢ１１０から供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００４２】
サブタンクＢ１１０は、メディアパックＣ１００に収容されているインクパックＣ１０３よりも小容量であり、少なくともプリント媒体Ｃ１０４の１枚分の画像記録に必要な量のインクを収容する大きさとなっている。サブタンクＢ１１０において、Ｙ、Ｍ、Ｃのインク毎のインク収容部分には、それぞれインク供給部と負圧導入部が形成されており、それらのインク供給部は対応する３つの中空のニードルＢ１２２に個別に接続され、また、各負圧導入部は共通の供給エアー口（不図示）に接続されている。このような構成のサブタンクＢ１１０には、後述するように、キャリッジＢ１０４が図６に示すホームポジションに移動した際に、メディアパックＣ１００のインクパックＣ１０３からインクが補給される。キャリッジＢ１０４のニードルＢ１２２は、その先端がメディアパックＣ１００が装着される方向と略同一方向に延びて配置されている。
【００４３】
キャリッジＢ１０４の移動位置は、キャリッジＢ１０４側のエンコーダセンサＢ１３１と、プリンタ部Ｂ１００の本体側のリニアスケールＢ１３２（図６参照）とによって検出される。
【００４４】
図７において、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００４５】
記録ヘッドＢ１２０は、キャリッジＢ１０４とともに図６に示す矢印Ａの主走査方向に移動しつつ、画像信号に応じてインク吐出口Ｂ１２１からインクを吐出することによって、プラテンＢ１０３上に搬送されてきたプリント媒体Ｃ１０４に１行分の画像を記録する。このような記録ヘッドＢ１２０による１行分の記録動作と、後述するプリント媒体搬送系による矢印Ｂの副走査方向におけるプリント媒体Ｃ１０４の所定量の搬送動作とが繰り返されることによって、プリント媒体Ｃ１０４上に順次画像が記録される。
【００４６】
Ｃ−２「プリント媒体搬送系」
図９（ａ）、（ｂ）は、それぞれプリンタ部Ｂ１００の上面図および側面図（断面図）である。また、図１０は、メディアパックＣ１００をプリンタ部Ｂ１００に装着した状態の側面図（断面図）である。
【００４７】
一対の排紙ローラＢ２０１のうちの一方の排紙ローラＢ２０１は、排紙ローラギアＢ２０２および減速ギアＢ２１０、駆動ギアＢ２３４を介して、搬送モータＭ００２により駆動される。同様に、前述したＬＦローラＢ１０１は、ＬＦローラギアＢ２０４と中継ギアＢ２０３を介して、排紙ローラギアＢ２０２に伝達され、搬送モータＭ００２により駆動される。排紙ローラＢ２０１およびＬＦローラＢ１０１は、搬送モータＭ００２の正転時の駆動力によって、プリント媒体Ｃ１０４を矢印Ｂの副走査方向に搬送する。
【００４８】
一方、ＡＳＦモータＭ００３により、圧板Ｂ２１３が、図９（ｂ）に示すＤ方向に回動し、さらに給紙ローラＢ１１１の駆動も行う。すなわち、圧板Ｂ２１３が回動し、メディアパックＣ１００内のプリント媒体Ｃ１０４を給紙ローラＢ１１１に押圧し、ＡＳＦモータＭ００３から伝達された駆動により給紙ローラＢ１１１が回転し、プリント媒体Ｃ１０４がＢ方向に搬送され、メディアパックＣ１００に構成された分離土手部Ｃ１１８により１枚ずつ分離されてＬＦローラＢ１０１とＬＦピンチローラＢ１０２対に供給される。
Ｃ−３「インク供給系」
図１１は、図６で示されるプリンタにメディアパックが装着された上面図である。
【００４９】
プリンタ部Ｂ１００に装着されたメディアパックＣ１００のジョイントＣ１０５は、吸引ポジションに移動したキャリッジＢ１０４側のニードルＢ１２２（図８参照）に対向する方向に位置している。プリンタ部Ｂ１００の本体には、ジョイントＣ１０５に係合するように構成されたスライダ部Ｂ３０１が備えられており、そのスライダ部Ｂ３０１がプリンタ部Ｂ１００の上面に構成されたトッププレートＢ３２４に案内されながらＥ方向に摺動することにより、ジョイントＣ１０５がニードルＢ１２２に接続される。これにより、メディアパックＣ１００側のインクパックＣ１０３と、キャリッジＢ１０４側のサブタンクＢ１１０のインク供給部との間のインク供給路が形成される。また、スライダ部Ｂ３０１には、吸引ポジションに移動したキャリッジＢ１０４の供給エアー口（不図示）に接続する供給ジョイント（不図示）が備えられている。この供給ジョイントは、供給チューブ（不図示）を介して、負圧発生源としてのポンプのポンプシリンダＢ３０４に接続されている。供給ジョイントは、スライダ部Ｂ３０１がＥ方向に摺動することにより、キャリッジＢ１０４側の供給エアー口に接続される。これにより、キャリッジＢ１０４側のサブタンクＢ１１０の負圧導入部と、ポンプシリンダＢ３０４との間の負圧導入路が形成される。このスライダ部Ｂ３０１は、ＡＳＦモータＭ００３の駆動力によって、Ｅ方向に摺動する構成になっている（駆動伝達系は省略）。
【００５０】
サブタンクＢ１１０の負圧導入部には、空気の通過を許容し、かつインクの通過を阻止する気液分離部材（不図示）が備えられている。気液分離部材は、負圧導入路を通して吸引されるサブタンク内の空気の通過を許容し、これによりメディアパックＣ１００からサブタンクＢ１１０にインクが補給される。そして、サブタンクＢ１１０内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００５１】
また、プリンタ部Ｂ１００の本体には、吸引ポジションに移動したキャリッジＢ１０４側の記録ヘッドＢ１２０に対して、キャッピングが可能な吸引キャップＢ３１０が備えられている。吸引キャップＢ３１０は、その内部に、吸引チューブ（不図示）を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブ（不図示）と廃液ジョイントＢ３１３を通して、メディアパックＣ１１０内のインク吸収体Ｃ１０７に排出される。
【００５２】
ポンプモータＭ００４は、ポンプシリンダＢ３０４の往復駆動およびワイパーＢ３１６を回動させるための駆動源として機能する。
【００５３】
Ｄ「信号処理系」
図１２は、カメラ部Ａ１００とプリンタ部Ｂ１００の概略のブロック構成図である。
【００５４】
カメラ部Ａ１００は、撮像素子としてのＣＣＤ１０１、音声入力のためのマイク１０２、ハードウェア処理を行うＡＳＩＣ１０３、画像データ等を一時的に記憶する第１メモリ１０４、撮像画像を記憶するＣＦカード１０５（「ＣＦカードＡ１０７」に相当）、撮影画像または再生画像を表示するＬＣＤ１０６（「液晶表示部Ａ１０５」に相当）、およびカメラ部Ａ１００の制御をする第１ＣＰＵ１２０からなる。
【００５５】
プリンタ部Ｂ１００は、カメラ部Ａ１００とプリンタ部Ｂ１００との間のインターフェース２１０、画像処理部２０１（画像を２値化する２値化処理部を含む）、画像処理を行う上で使用する第２メモリ２０２、バンドメモリ制御部２０３、バンドメモリ２０４、マスクメモリ２０５、ヘッド制御部２０６、記録ヘッド２０７（「記録ヘッドＢ１２０」に相当）、エンコーダ２０８（「エンコーダセンサＢ１３１」に相当）、エンコーダカウンタ２０９、プリンタ部Ｂ１００を制御する第２ＣＰＵ２２０、モータドライバ２２１、モータ２２２（「モータＭ００１、Ｍ００２、Ｍ００３、Ｍ００４」に相当）、センサ２２３、メディアパックＣ１００に内蔵されているＥＥＰＲＯＭ２２４、音声エンコーダ部２３０、および装置全体に電源を供給する電源部２５０（「電池Ａ１０８」に相当）からなる。
【００５６】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。さらに、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００５７】
図１４は、プリンタ部Ｂ１００における信号処理の説明図である。
【００５８】
カメラ部Ａ１００側で再生された画像、即ちＣＦカード１０５より読み出された画像は、ＡＳＩＣ１０３によってＪＰＥＧ伸張され、プリントする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１２のように、カメラ部Ａ１００より送られた画像データを画像処理部２０１により画像処理し、画像データのＲＧＢ信号への変換、カメラの特性に応じた入力Ｙ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行っているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００５９】
次に、図１４に示すハンドメモリ制御について説明する。
【００６０】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その画像データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００６１】
実際には、画像処理部２０１により作成された画像データ（Ｃ、Ｍ、Ｙ）がバンドメモリ２０４に書き込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書き込まれる。
【００６２】
このように、バンドメモリ制御は、画像処理部２０１により作成された記録データ（Ｃ、Ｍ、Ｙ）をバンドメモリ２０４に書き込む作業と、キャリッジの走査動作に合わせて、記録データ（Ｃ、Ｍ、Ｙ）をヘッド制御部２０６に送るために読み出す作業とを切替ながら行う。
【００６３】
次に、図１４に示すマスクメモリ制御について説明する。
【００６４】
このマスクメモリ制御は、マルチパス記録方式を採用した場合に必要となる。
【００６５】
マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録、Ｎ＝１６のときは１６パス記録となる。したがって、１行分の記録画像が記録ヘッド２０７の複数回の走査によって完成されることになる。
【００６６】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００６７】
また、図１２において、ＣＦカード１０５に記憶された音声データは、ＡＳＩＣ１０２により、画像データと同じように、インターフェース２１０を介してプリンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無いとき、または、音声データの無い画像をプリントする際には、当然に、コード化された音声データはプリントされず、画像のみがプリントされる。
【００６８】
本実施例においては、カメラ部Ａ１００とプリンタ部Ｂ１００が一体となったプリンタ内蔵カメラとして説明を行ってきた。しかし、カメラ部Ａ１００とプリンタ部Ｂ１００を分離した別々の装置とし、それらをインターフェース２１０により接続した構成においても同様に構成して、同様の機能を実現することが可能である。
【００６９】
次に本発明の主要部について詳細に説明する。
【００７０】
図１５は、図１１で示されるプリンタのキャリッジとメディアパックのジョイント部の拡大図である。
【００７１】
キャリッジＢ１０４は、吸引ポジションの位置にあり、メディアパックＣ１００がプリンタＢ１００に装着された状態にある。この状態において、キャリッジＢ１０４のニードルＢ１２２に対向した位置にメディアパックＣ１００内のジョイント部Ｃ１０５が配置される構成になっており、ジョイント部Ｃ１０５は、スライダ部Ｂ３０１の爪部Ｂ３０１によりスライダ部Ｂ３０１と一体的に移動可能な状態で係合している。
【００７２】
スライダ部Ｂ３０１は、トッププレートＢ３２４に一体で構成されたピンＢ３２４ａによりガイドされており、ピンＢ３２４ａの案内によりトッププレートＢ３２４の面上をＥ方向に摺動するように構成されている。すなわち、本発明の電子機器における記録手段は、消耗材収納容器に設けられたジョイント部に係合可能で、消耗材収納容器の装着方向と略同一方向に摺動可能に設けられたスライダ部を有する。
【００７３】
また、スライダ部Ｂ３０１のニードルＢ１２２に対向する先端部にはニードルキャップＢ３０２が取り付けられている。ニードルキャップＢ３０２は、ニードルＢ１２２と係合する弾性部材で構成され、ニードルＢ１２２と連結した状態で、ニードルＢ１２２内の横穴部Ｂ１２２ａを封止することが可能な構成となっている。
【００７４】
次に、ジョイント部の接合動作について、図１６〜図１９を用いて説明する。
【００７５】
図１６（ａ）は、図１５で示されるジョイント部の待機状態、図１６（ｂ）はジョイント部の接合状態、図１６（ｃ）はジョイント部の記録状態を示した側面図である。また、図１７、図１８、図１９はそれぞれ図１６（ａ）、図１６（ｂ）、図１６（ｃ）のスライダ部近傍の拡大図である。
【００７６】
まず、図１６（ａ）、図１７に示す待機状態について説明する。
【００７７】
スライダ部Ｂ３０１には、ジョイントホルダＢ３０３がジョイントホルダ軸部Ｂ３０３ａを軸にしてＦ方向あるいはＧ方向に回転可能な構成で取り付けられている。待機状態では、スライダ部斜面Ｂ３０１ｂに押されジョイントホルダＢ３０３は、Ｆ方向に回転した状態になっている。このときメディアパックＣ１００が装着された状態において、メディアパックＣ１００内のＬ字型の連結部Ｃ１１０の凸部Ｃ１１０ａと、ジョイントホルダＢ３０３のフック部Ｂ３０３ｃは接触する状態になっている。
【００７８】
ジョイントホルダＢ３０３のもう一方のフック部Ｂ３０３ｂは、上方向に逃げているので、この状態で、メディアパックＣ１１０は着脱可能な状態にある。
【００７９】
さらに、ニードルキャップＢ３０２は、キャリッジＢ１０４のニードルＢ１２２に係合しており、ニードルＢ１２２内の横穴部Ｂ１２２ａを封止している状態になっている。このような構成で待機することにより、サブタンクＢ１１０内にあるインクがニードルＢ１２２の横穴部Ｂ１２２ａから蒸発するのを抑制することができ、ニードルＢ１２２内でのインクの固着、異物による針穴のつまりを回避できることとなる。
【００８０】
次に図１６（ｂ）、図１８に示す接合状態について説明する。
【００８１】
スライダ部Ｂ３０１がＥ１方向に摺動すると、スライダ部Ｂ３０１の斜面Ｂ３０１ｃによりジョイントホルダＢ３０３がＧ方向に回転する。Ｇ方向に回転すると、ジョイントホルダＢ３０３のフック部Ｂ３０３ｂが連結部Ｃ１１０の凸部Ｃ１１０ａと当接することで係合し、スライダ部Ｂ３０１のＥ１方向への移動が、連結部Ｃ１１０に伝達され、連結部Ｃ１１０と一体で構成されたジョイント部Ｃ１０５がキャリッジＢ１０４内のニードルＢ１２２と連結される。この状態で、連結部Ｃ１１０は、第１の位置αに配置されている。
【００８２】
このとき、ニードルＢ１２２はニードルキャップＢ３０２を貫通した状態になる。
【００８３】
また、インクパックＣ１０３は、メディアパックＣ１１０内を連結部Ｃ１１０とジョイント部Ｃ１０５と一体化した構成で、Ｅ１方向に移動する。
【００８４】
次に図１６（ｃ）、図１９に示す記録状態について説明する。
【００８５】
スライダ部Ｂ３０１がＥ２方向に摺動すると、スライダ部Ｂ３０１の斜面Ｂ３０１ｂによりジョイントホルダＢ３０３がＦ方向に回転する。Ｆ方向に回転すると、ジョイントホルダＢ３０３のフック部Ｂ３０３ｃが連結部Ｃ１１０の凸部Ｃ１１０ａと当接し、スライダ部Ｂ３０１のＥ２方向への移動が、連結部Ｃ１１０に伝達され、連結部Ｃ１１０と一体で構成されたジョイント部Ｃ１０５がＥ２方向に移動し、キャリッジＢ１０４内のニードルＢ１２２とジョイント部Ｃ１０５の連結は解除される。この状態で、連結部Ｃ１１０は、第２の位置βに配置されている。
【００８６】
この状態で、キャリッジＢ１０４は、主走査方向への移動が可能となり、記録可能状態となる。
【００８７】
以上説明したように、本実施形態においては、キャリッジＢ１０４のニードルＢ１２２をメディアパックＣ１１０の装着と同一方向に配置したので、キャリッジＢ１０４の主走査方向の寸法が延びることなく、キャリッジＢ１０４を小型化することができ、さらにプリンタの主走査方向の寸法を縮めることができる。
【００８８】
また、本実施形態においては、スライダ部Ｂ３０１がトッププレートＢ３２４の面上を摺動する構成としたので、接合時の傾きが発生せず、ニードルＢ１２２とジョイント部の相対位置を的確に出すことができ、ジョイント部の接合の信頼性を向上させることができる。
【００８９】
また、連結するスライダ部Ｂ３０１にニードルキャップＢ１２４を設ける構成とし、待機状態のときニードルＢ１２２をニードルキャップＢ１２４で封止する構成としたので、キャリッジＢ１０４のサブタンクＢ１１０内のインクの蒸発を抑制することができ、ニードルＢ１２２のインク固着や、異物付着を防止できる。
【００９０】
【発明の効果】
以上説明したように本発明によれば、キャリッジのニードルを、キャリッジの走査方向と略直交する方向となる消耗材収納容器の装着と略同一方向に配置したので、キャリッジの主走査方向の寸法を短くすることができるのでキャリッジを小型化することができる。これにより、記録手段の主走査方向の寸法が短くなった、小型化された電子機器を提供することができる。
【図面の簡単な説明】
【図１】本発明を適用可能なプリンタ内蔵カメラの正面図である。
【図２】図１のカメラの斜め前方からの斜視図である。
【図３】図１のカメラの斜め後方からの斜視図である。
【図４】図１のカメラに装着可能なメディアパックの上面図と側面の断面図である。
【図５】図１のカメラの内部における主要構成部の配置関係を示す斜視図である。
【図６】図５におけるプリンタ部の斜視図である。
【図７】図６のプリンタ部の一部を取り外した斜視図である。
【図８】図６のプリンタ部におけるキャリッジの上面図と側面図である。
【図９】図６のプリンタ部の上面図と側面図（断面図）である。
【図１０】図６で示されるプリンタにメディアパックが装着された側面図（断面図）である。
【図１１】図６で示されるプリンタにメディアパックが装着された上面図である。
【図１２】図１のカメラにおけるカメラ部とプリンタ部の概略ブロック構成図である。
【図１３】図１２のカメラ部における信号処理の説明図である。
【図１４】図１２のプリンタ部における信号処理の説明図である。
【図１５】図６で示されるプリンタのキャリッジとメディアパックのジョイント部の拡大図である。
【図１６】図１５で示されるジョイント部の待機状態、ジョイント状態、記録状態を示した側面図である。
【図１７】図１６（ａ）の一部拡大図である。
【図１８】図１６（ｂ）の一部拡大図である。
【図１９】図１６（ｃ）の一部拡大図である。
【図２０】従来のキャリッジの一例の斜視図である。
【符号の説明】
Ａ００１    装置本体
Ａ００２    挿入部
Ａ１００    カメラ部
Ａ１０１    レンズ
Ａ１０２    ファインダー
Ａ１０２ａ    ファインダー窓
Ａ１０３    ストロボ
Ａ１０４    レリーズボタン
Ａ１０５    ファインダー
Ａ１０６    液晶表示部（外部表示部）
Ａ１０７    コンパクトフラッシュメモリカード（ＣＦカード）
Ａ１０８    電池
Ａ１０９    排出部
Ｂ１００    プリンタ部（記録装置部）
Ｂ１０１    ＬＦローラ
Ｂ１０２    ＬＦピンチローラ
Ｂ１０３    プラテン
Ｂ１０４    キャリッジ
Ｂ１０５    ガイド軸
Ｂ１０６    リードスクリュー
Ｂ１０７、Ｂ１０８    軸受
Ｂ１０９    スクリューガイド
Ｂ１１０    サブタンク
Ｂ１２０    記録ヘッド
Ｂ１２１    インク吐出口
Ｂ１２２    ニードル
Ｂ１２４    ニードルキャップ
Ｂ１３１    エンコーダセンサ
Ｂ１３２    リニアスケール
Ｂ１４１    スクリューギア
Ｂ１４２    アイドラギア
Ｂ１４３    モータギア
Ｂ１５０    フレキシブルケーブル
Ｂ２０１    排紙ローラ
Ｂ２０２    排紙ローラギア
Ｂ２０３    中継ギア
Ｂ２０４    ＬＦローラギア
Ｂ２０５    排紙ピンチローラ
Ｂ２１０    減速ギア
Ｂ２１３    圧板
Ｂ２３４    駆動ギア
Ｂ３０１    スライダ部
Ｂ３０１ａ    爪部
Ｂ３０１ｂ、Ｂ３０１ｃ    スライダ部斜面
Ｂ３０２    ニードルキャップ
Ｂ３０３    ジョイントホルダ
Ｂ３０３ａ    ジョイントホルダ軸部
Ｂ３０３ｂ、Ｂ３０３ｃ    ジョイントホルダフック部
Ｂ３０４    ポンプシリンダ
Ｂ３１０    吸引キャップ
Ｂ３１３    廃液ジョイント
Ｂ３１６    ワイパー
Ｂ３２３    シャーシ
Ｂ３２４    トッププレート
Ｂ３２４ａ    ピン部
Ｃ１００    メディアパック
Ｃ１０１    パック本体
Ｃ１０３    インクパック
Ｃ１０４    プリント媒体
Ｃ１０５    ジョイント
Ｃ１０７    インク吸収体
Ｃ１１０    連結部
Ｃ１１０ａ    連結部の凸部
Ｃ１１８    分離土手部
Ｍ００１    キャリッジモータ
Ｍ００２    搬送モータ
Ｍ００３    ＡＳＦモータ
Ｍ００４    ポンプモータ
１０１    ＣＣＤ
１０２    マイク
１０３    ＡＳＩＣ
１０４    第１メモリ
１０５    ＣＦカード（「ＣＦカードＡ１０７」に相当）
１０６    ＬＣＤ（「液晶表示部Ａ１０５」に相当）
１０７    レンズ
１２０    第１ＣＰＵ
２０１    画像処理部
２０２    第２メモリ
２０３    バンドメモリ制御部
２０４    バンドメモリ
２０５    マスクメモリ
２０６    ヘッド制御部
２０７    記録ヘッド（「記録ヘッドＢ１２０」に相当）
２０８    エンコーダ（「エンコーダセンサＢ１３１」に相当）
２０９    エンコーダカウンタ
２１０    インターフェース
２２０    第２ＣＰＵ
２２１    モータドライバ
２２２    モータ（「モータＭ００１、Ｍ００２、Ｍ００３、Ｍ００４」に相当）
２２３    センサ（「ＨＰセンサＢ１３４、Ｂ３２１、Ｂ３２２」を含む）
２２４    ＥＥＰＲＯＭ
２２６    コンタクトパッド部
２３０    音声エンコーダ部
２５０    電源部（「電池Ａ１０８」に相当）
【図１】
2004299360.tif 000003
【図２】
2004299360.tif 000004
【図３】
2004299360.tif 000005
【図４】
2004299360.tif 000006
【図５】
2004299360.tif 000007
【図６】
2004299360.tif 000008
【図７】
2004299360.tif 000009
【図８】
2004299360.tif 000010
【図９】
2004299360.tif 000011
【図１０】
2004299360.tif 000012
【図１１】
2004299360.tif 000013
【図１２】
2004299360.tif 000014
【図１３】
2004299360.tif 000015
【図１４】
2004299360.tif 000016
【図１５】
2004299360.tif 000017
【図１６】
2004299360.tif 000018
【図１７】
2004299360.tif 000019
【図１８】
2004299360.tif 000020
【図１９】
2004299360.tif 000021
【図２０】
2004299360.tif 000022